(57)【要約】【課題】旧カードを受け付けたとき、これを返却せずに、旧カードを使用できるようにすることにより、顧客へ不信感を与えず、顧客サービスを向上させる。【解決手段】玉貸システムは、カードを受け付けて玉貸処理を実行する玉貸機１と、データのデータ形式を現行のデータ形式に変換する情報管理装置６とを含む。玉貸機１と情報管理装置６とは通信可能に接続されている。玉貸機１の制御装置は、カードより取り込んだデータのデータ形式が現行のものであるとき当該データを読み取り、現行のものでないとき当該データを情報管理装置６へ送信する。情報管理装置６より現行のデータ形式に変換されたデータを受信すると、カードに記憶されているデータを現行のデータ形式のデータに書き替える。【選択図】図１
2005215852.tif 000002
【特許請求の範囲】
【請求項１】
データの記憶が可能な記憶媒体を受け付けて所定の処理を実行するための記憶媒体処理システムにおいて、
受け付けた記憶媒体に記憶されているデータを取り込む取込手段と、取り込まれたデータのデータ形式が現行のものであるとき当該データを読み取る読取手段と、取り込まれたデータのデータ形式が現行のものでないとき当該データを現行のデータ形式に変換する変換手段と、取り込まれたデータのデータ形式が現行のものでないとき記憶媒体に記憶されているデータに対応する現行のデータ形式のデータを記憶媒体に書き込む書込手段とを含んで成る記憶媒体処理システム。
【請求項２】
データの記憶が可能な記憶媒体を受け付けて所定の処理を実行するための記憶媒体処理システムにおいて、記憶媒体処理装置と、データのデータ形式を現行のデータ形式に変換する変換手段を有する管理装置とから成り、前記記憶媒体処理装置と管理装置とは通信可能に接続されており、
前記記憶媒体処理装置は、受け付けた記憶媒体に記憶されているデータを取り込む取込手段と、取り込まれたデータのデータ形式が現行のものであるとき当該データを読み取る読取手段と、取り込まれたデータのデータ形式が現行のものでないとき当該データを前記管理装置へ送信する送信手段と、前記管理装置の変換手段によって現行のデータ形式に変換されたデータを受信する受信手段と、取り込まれたデータのデータ形式が現行のものでないとき記憶媒体に記憶されているデータに対応する現行のデータ形式のデータを記憶媒体に書き込む書込手段とを含んで成る記憶媒体処理システム。
【請求項３】
前記記憶媒体処理装置は、金額価値が付与された記憶媒体を受け付けて所定の処理を実行することによって記憶媒体の金額価値を増減させるものである請求項２に記載された記憶媒体処理システム。
【請求項４】
前記記憶媒体処理装置は、近傍位置の特定の遊技機に遊技媒体を貸し出す遊技媒体貸出機であって、貨幣を受け付けてその貨幣の金額に応じた金額価値が付与された記憶媒体を発行する機能と、発行した記憶媒体の金額価値データをその記憶媒体に付与した識別情報とともに記憶して管理する機能とを備えている請求項２または３に記載された記憶媒体処理システム。
【発明の詳細な説明】
【技術分野】
【０００１】
この発明は、ＩＣカードや磁気カードのようなデータの記憶が可能な記憶媒体を受け付けて所定の処理を実行するための記憶媒体処理システムに関する。特にこの発明は、パチンコホールなどの遊技場において、記憶媒体を利用してパチンコ球や遊技用メダルのような遊技媒体の貸出を行う遊技媒体の貸出システムなどに適用される記憶媒体処理システムに関する。
【背景技術】
【０００２】
パチンコホールに導入されている遊技媒体の貸出システムは、パチンコ機やスロットマシンのような遊技機に隣接して「台間機」や「カードユニット」などと呼ばれる遊技媒体貸出装置を配置して構成されている。遊技機と遊技媒体貸出装置との間は相互に信号のやり取りが可能なように電気的に接続されている。遊技媒体貸出装置は金額価値を有するカード状の記憶媒体（以下、単に「カード」という。）を受け付けたときに貸出処理が可能となる。この状態下で遊技者が貸出操作を行うと、隣接する遊技機に遊技媒体の貸出を要求する貸出要求信号が送られる。遊技機では貸出要求信号を受けて貸出処理が実行される。例えば遊技機がパチンコ機であれば受け皿にパチンコ球が放出される。
【０００３】
最近のパチンコホールでは、不特定人を対象として貸与されるカード（以下、「一般カード」という。）だけでなく、特定人（会員）を対象として貸与されるカード（以下、「会員カード」という。）を発行して遊技媒体の貸出に利用できるようにした遊技媒体の貸出システムが導入されている。この貸出システムは、顧客の固定化と新たな客の取込みとを狙ったものであり、例えば、会員カードに遊技媒体の獲得数を記憶させて利用できる機能を持たせるなどして、会員に特別の便宜をはかっている。この種の遊技媒体の貸出システムでは、遊技媒体の貸出装置は一般カードを受け付けるカード受付口と会員カードを受け付けるカード受付口とが備えられている。
【０００４】
ところで、この種の遊技媒体の貸出システムについて、モデルチェンジやバージョンアップがなされると、機能やセキュリティアップのためにカードに記憶されるデータのデータ形式が変更される。ここで、データ形式の変更とは、例えば、データフォーマットの変更、データの種類、配列、個数などの変更を含む。このデータ形式の変更があると、一般的に従前のデータ形式でデータが記憶されているカード（以下、「旧カード」という。）は使用できなくなる。一般カードについては当日限りかまたは有効期限が短く設定されているので、顧客が旧カードを保持する可能性はそれ程高くはないが、会員カードについては、有効期限が長く設定されているので、会員が旧カードを保持している可能性は高い。
【０００５】
この種の遊技媒体の貸出装置では、旧カードを受け付けたとき、有効期限切れのカードの扱いと同様、貸出不可として旧カードを返却するのが一般的であり、カードの返却により遊技者にそのカードが旧カードであることを知らせている（例えば、特許文献１参照）。遊技者は、返却された旧カードをパチンコホール内のカウンターやカード更新機まで持参し、現行のデータ形式でデータが記憶されているカード（以下、「新カード」という。）の再発行を受ける。
【０００６】
【特許文献１】特開平９−２８５６１９号公報
【発明の開示】
【発明が解決しようとする課題】
【０００７】
しかしながら、遊技者は旧カードの返却を受けたとき、返却の理由が理解できないことがあり、特に、旧カードに金額価値が残っていると、機械に対して不信感を抱いたり、パチンコホールとの間でトラブルを発生させたりするおそれがある。また、遊技者は新カードに交換するために、旧カードをカウンターやカード更新機まで持参する必要があり、余計な手数と時間がかかり、顧客サービスに欠けるという問題がある。
【０００８】
この発明は、上記問題に着目してなされたもので、旧カードを受け付けたとき、これを返却せずに、旧カードを使用できるようにすることにより、顧客へ不信感を与えず、顧客サービスを向上させた記憶媒体処理システムを提供することを目的とする。
【課題を解決するための手段】
【０００９】
この発明による遊技媒体貸出システムは、データの記憶が可能な記憶媒体を受け付けて所定の処理を実行するためのものであって、受け付けた記憶媒体に記憶されているデータを取り込む取込手段と、取り込まれたデータのデータ形式が現行のものであるとき当該データを読み取る読取手段と、取り込まれたデータのデータ形式が現行のものでないとき当該データを現行のデータ形式に変換する変換手段と、取り込まれたデータのデータ形式が現行のものでないとき記憶媒体に記憶されているデータに対応する現行のデータ形式のデータを記憶媒体に書き込む書込手段とを含んでいる。
【００１０】
上記した構成の遊技媒体貸出システムにおいて、記憶媒体が受け付けられると、その記憶媒体に記憶されているデータが取り込まれる。取り込まれたデータのデータ形式が現行のものであるかどうかが判断され、現行のデータ形式であれば、当該データが読み取られる。現行のデータ形式でなければ、当該データは読み取ることができず、現行のデータ形式に変換される。現行のデータ形式でないときは記憶媒体に記憶されているデータに対応する現行のデータ形式のデータが記憶媒体に書き込まれる。
この場合に、記憶媒体に記憶されているデータを現行のデータ形式のデータに書き替えてもよく、また、記憶媒体に記憶されているデータをそのままにして現行のデータ形式のデータを追加して書き込んでもよい。
【００１１】
この発明の上記した構成において、「記憶媒体」は典型的にはＩＣカードや磁気カードのようなカード状の記憶媒体であるが、これに限らず、メモリスティック、円盤状のＩＣチップなど、カード状でない記憶媒体を用いることも可能である。また、「記憶媒体」は不特定人を対象として貸与される一般カードと、特定人（会員）を対象として貸与される会員カードとを含んでいる。
【００１２】
また、上記した構成において、「記憶媒体を受け付ける」とは、一般的には遊技者によって記憶媒体がカード受付口に挿入された状態のことを指すが、必ずしも記憶媒体が機体内に取り込まれることを意味するものではない。要するに、記憶媒体からデータを取り込んだり、記憶媒体にデータを記憶させたりできる状態になっていればよい。記憶媒体が受け付けられると、ロック保持され、容易に抜き取れないようにする。
【００１３】
また、この発明の上記した構成において、「取込手段」と「書込手段」とは、記憶媒体がＩＣカードであれば、記憶媒体に埋設されたＩＣチップと対向する位置に配置される送受信用のアンテナをもって構成される。記憶媒体が磁気カードであれば、記憶媒体に設けられた磁気塗膜と対向する位置に配置される磁気ヘッドをもって構成される。
また、「読取手段」と「変換手段」とは、プログラムされたコンピュータによって実現することができる他、専用のハードウェア回路によっても実現することができる。
【００１４】
また、この発明による記憶媒体処理システムは、データの記憶が可能な記憶媒体を受け付けて所定の処理を実行するためのものであって、記憶媒体処理装置と、データのデータ形式を現行のデータ形式に変換する変換手段を有する管理装置とから成り、前記記憶媒体処理装置と管理装置とは通信可能に接続されている。
前記記憶媒体処理装置は、受け付けた記憶媒体に記憶されているデータを取り込む取込手段と、取り込まれたデータのデータ形式が現行のものであるとき当該データを読み取る読取手段と、取り込まれたデータのデータ形式が現行のものでないとき当該データを前記管理装置へ送信する送信手段と、前記管理装置の変換手段によって現行のデータ形式に変換されたデータを受信する受信手段と、取り込まれたデータのデータ形式が現行のものでないとき記憶媒体に記憶されているデータに対応する現行のデータ形式のデータを記憶媒体に書き込む書込手段とを含んでいる。
【００１５】
上記した構成の遊技媒体貸出システムにおいて、記憶媒体が記憶媒体処理装置に受け付けられると、その記憶媒体に記憶されているデータが取り込まれる。取り込まれたデータのデータ形式が現行のものであるかどうかが判断され、現行のデータ形式であれば、当該データが読み取られる。現行のデータ形式でなければ、当該データは読み取ることができず、管理装置へ送信されて現行のデータ形式に変換される。その変換されたデータは管理装置から記憶媒体処理装置に送られてきて受信される。記憶媒体処理装置に取り込まれたデータのデータ形式が現行のものでないときは記憶媒体に記憶されているデータに対応する現行のデータ形式のデータが記憶媒体に書き込まれる。
なお、現行のデータ形式のデータを記憶媒体に書き込む実施態様として、データの書き替えとデータの追加書込みとが含まれることは前記したとおりである。
【００１６】
この発明の上記した構成において、記憶媒体処理装置の「読取手段」や管理装置の「変換手段」は、プログラムされたコンピュータによって実現することができる他、専用のハードウェア回路によっても実現することができる。
【００１７】
この発明の好ましい一実施態様においては、前記記憶媒体処理装置は、金額価値が付与された記憶媒体を受け付けて所定の処理を実行することによって記憶媒体の金額価値を増減させるものである。
ここで、「所定の処理」とは、例えば遊技媒体の貸出システムにあっては、遊技媒体を貸し出す貸出処理、記憶媒体の金額価値を精算する精算処理、記憶媒体に金額価値を付与する入金処理などが含まれる。
【００１８】
前記の「貸出処理」とは、遊技媒体を放出して遊技者に貸し出す処理と、遊技媒体を特定の遊技機に貸し出す処理とを含むが、後者の具体的な実施態様としては、遊技機に貸出要求信号を送信することにより実現できる。貸出要求信号を受けた遊技機は、パチンコ機であれば所定数のパチンコ球を受け皿に払い出し、スロットマシンであれば、メダルを受け皿に払い出すか、電子データとしての貯留メダル数を所定数だけ加算する。
「精算処理」とは、遊技媒体の金額価値を金額に換算してその金額分の貨幣を放出させる処理である。
「入金処理」は、金額価値がゼロの記憶媒体に金額価値を付与する処理と、金額価値がゼロでない記憶媒体に金額価値を追加する処理とを含む概念である。
【００１９】
また、記憶媒体への金額価値の付与は、記憶媒体のデータ記憶部に金額や度数などデータ（以下、「金額価値データ」という。）を書き込むことにより実現し得るが、例えば、全ての記憶媒体を管理する管理装置を設けて管理装置と各遊技媒体貸出装置との間で通信を行うような遊技媒体の貸出システムであれば、必ずしも記憶媒体に金額価値データを記憶させる必要はない。各記憶媒体には固有の識別情報を記憶させ、管理装置には各記憶媒体の金額価値データを識別情報と対応付けて記憶することによって、記憶媒体への金額価値の付与を実現できる。このような貸出システムでは、記憶媒体を受け付けると、その記憶媒体の識別情報を管理装置に送信して金額価値データの返送を受けることになる。また、貸出処理に伴って記憶媒体の金額価値データを更新するときにも、同様に管理装置との間で通信を行うことになる。
【００２０】
この発明の好ましい一実施態様においては、前記記憶媒体処理装置は、近傍位置の特定の遊技機に遊技媒体を貸し出す遊技媒体貸出機であって、貨幣を受け付けてその貨幣の金額に応じた金額価値が付与された記憶媒体を発行する機能と、発行した記憶媒体の金額価値データをその記憶媒体に付与した識別情報とともに記憶して管理する機能とを備えている。
この実施態様によると、各遊技媒体貸出機において、自装置で発行した各記憶媒体の金額価値データを識別情報と対応付けて記憶することによって、各記憶媒体への金額価値の付与を実現できる。このような貸出システムでは、記憶媒体を受け付けると、その記憶媒体の識別情報を記憶媒体の発行元の装置に送信して金額価値データの返送を受けることになる。また、貸出処理に伴って記憶媒体の金額価値データを更新するときにも、同様に遊技媒体の発行元との間で通信を行うことになる。
【００２１】
なお、金額価値データは記憶媒体と管理装置、記憶媒体と発行元の遊技媒体貸出機とに記憶させるのが望ましい。そのようにすれば、受け付けた記憶媒体に記憶されている金額価値データと管理装置または記憶媒体の発行元の装置に記憶されている金額価値データとが照合できるので、データの改ざんなどの不正行為を防止することができる。
【発明の効果】
【００２２】
この発明によれば、旧カードを受け付けたとき、これを返却せずに、旧カードをその場で使用できるようにするから、顧客へ不信感を与えるようなことがない。また、新カードに交換するために、旧カードをカウンターやカード更新機まで持参する必要がないので、余計な手数と時間がかからず、顧客サービスを向上できる。
【発明を実施するための最良の形態】
【００２３】
図１は、この発明が適用された玉貸システムの構成を示している。
この玉貸システムは、パチンコホールにおいて、金額価値が付与された一般カードおよび会員カードによりパチンコ球の貸出処理を行うためのものであり、パチンコホール内の全てのパチンコ機２にそれぞれ隣接して配備された複数台の玉貸機１と、一般カードを発行するカード発行機３と、一般カードや会員カードに金額価値を付与する入金機４と、一般カードや会員カードの残った金額価値データを金額に精算するための精算機５とを含んでいる。
また、この玉貸システムは、パチンコホール内に設置される情報管理装置６と、パチンコホール外のシステム管理者（一般にカード管理会社である。）が保有するシステム管理装置７とを含んでいる。
【００２４】
各玉貸機１、カード発行機３、入金機４、精算機５、および情報管理装置６は、双方向性の通信回線１０を介して相互に通信することが可能なように電気的に接続されている。また、各パチンコホールの情報管理装置６はＩＳＤＮのような電話通信回線１１を介してシステム管理装置７にそれぞれ接続されている。なお、各玉貸機１は島８毎に配備された中継装置６０を介して前記通信回線１０に接続されている。
【００２５】
前記情報管理装置６は、コンピュータにより構成され、各玉貸機１、カード発行機３、入金機４、および精算機５よりカードの販売状況や利用状況に関わる情報を受信して、パチンコホール内におけるカードの売上、カードの利用枚数、パチンコ球の貸出に消費された金額（または度数）などを集計する。
また、情報管理装置６は、詳細は後述するが、玉貸機１が旧カードを受け付けた場合において、その旧カードから取り込まれたデータを玉貸機１より受信し、そのデータのデータ形式を現行のデータ形式に変換した後、これを前記玉貸機１へ伝送する。
【００２６】
前記情報管理装置６による各種データの集計結果は閉店時などにシステム管理装置７へ送られる。システム管理装置７は、複数のパチンコホールからのデータ送信を受け付けることが可能なサーバー用コンピュータであり、送信を受けた日々のデータを用いて各パチンコホールに対する請求処理のためのデータを集計する。
【００２７】
パチンコホールでは、会員登録をした遊技者に対して球貸システムを利用するための会員カードを発行している。この会員カードは、遊技者に固有に付与されたＩＤ番号などを記憶させたＩＣカードであって、所定の手続きを完了した会員に対して付与される。この会員カードには、初期設定時にゼロまたは所定の金額価値分の度数データが設定される。
【００２８】
パチンコホールでは、会員以外の遊技客も球貸システムを利用できるように、前記カード発行機３や玉貸機１によって一般カードを発行している。カード発行機３は貨幣を受け付けて前記会員カードと同一規格のＩＣカードを一般カードとして発行する。一般カードには投入貨幣の金額に応じた金額価値分の度数データが書き込まれる。会員カードに書き込まれたカード情報は情報管理装置６に登録されて管理される。一方、一般カードに書き込まれたカード情報はそのカードを発行した装置に登録されて管理される。
【００２９】
各玉貸機１は、隣接する特定のパチンコ機２と電気接続され、両者間で相互に信号のやり取りを行っている。各玉貸機１には、一般カードや会員カードを受け付けて各カードに対するカード情報の読み書きを行うためのカード処理機と貨幣を取り込んで処理するための貨幣処理機とが組み込まれている。
【００３０】
玉貸機１は、カード処理機によってカードが受け付けられた状態で貨幣処理機が貨幣を受け付けたとき、前記カードに貨幣の金額に相当する金額価値データ（度数データ）が書き込まれる。この処理を「入金処理」という。この「入金処理」には一般カードに最初に金額価値を付与するときの「発券処理」と、発行済のカードに金額価値を追加して付与するときの「追加購入処理」とが含まれる。
【００３１】
また、カード処理機によってカードが受け付けられた状態で遊技者が貸出操作を行うと、カードより所定の度数データが引き落とされ、その引き落とした分のパチンコ球が隣のパチンコ機２に貸し出される。この処理を「貸出処理」といい、パチンコ機２に対して貸出要求信号を送出してパチンコ機２の側でパチンコ球を払い出させる。
【００３２】
上記した構成の玉貸システムにおいて、各玉貸機１や精算機５や入金機４がカードを受け付けると、会員カードについては情報管理装置６との間で交信し、一般カードについてはカード発行元の装置との間で交信し、受け付けたカードのカード情報を照合する。もし、カード情報が適正であれば、そのカードに対する貸出などの処理が進められる。また、貸出処理の過程で、金額価値データを書き換える際にも、情報管理装置６やカード発行元の装置との間で交信し、該当するカードについての書換えを行う。
さらに、玉貸機１での入金処理（追加購入処理）においても、情報管理装置６やカード発行元の装置との間で交信し、該当するカードについて金額価値データを書き換える。
さらにまた、玉貸機１が発券処理を行ったり、カード発行機３が一般カードを発行したりする際には、発行するカードに書き込むカード情報を自装置に登録する。
【００３３】
この実施例の球貸システムでは、会員カードについては情報管理装置６において、一般カードについてはカード発行元の装置において、それぞれカード情報を記憶して管理しているが、これに限らず、情報管理装置６が全てのカードのカード情報を一元管理してもよい。なお、前記した「追加購入処理」により追加された金額価値にかかわる金額価値データはカード発行元の装置において管理してもよく、追加購入処理が行われた装置において管理してもよい。
【００３４】
なお、この明細書では、玉貸機１以外の装置については、詳細な構成の説明を省略するが、いずれの装置も、上記した各処理を実行するためのプログラムが組み込まれたコンピュータを制御主体とするものである。
【００３５】
前記会員カードには、度数データの他、ＩＤ番号、カードの識別番号、有効期限などの各データがカード情報として書き込まれるが、パチンコ玉の獲得数（持玉数）を記憶させるようにしてもよい。一般カードには度数データやカードの識別番号などのデータが書き込まれる。
この実施例では、会員カードおよび一般カードにＩＣカードを用いているので、上記したカード情報はＩＣチップのメモリに記憶されるが、磁気カードを用いた場合は磁気塗膜に記憶される。
【００３６】
玉貸システムのモデルチェンジやバージョンアップが行われると、機能やセキュリティアップのために会員カードや一般カードに記憶されるデータのデータ形式（例えば、データフォーマットなど）が変更されるが、この発明による玉貸システムでは、データ形式の変更があっても、従前のデータ形式でデータが記憶されている旧カードについても返却せずに使用できるように構成されている。
【００３７】
この実施例では玉貸機１がカードを受け付けると、玉貸機１において、そのカードのデータのデータ形式が現行のものであるかどうかを判断し、もし、現行のデータ形式であれば当該データを読み取るが、もし、現行のデータ形式でなければ当該データを情報管理装置６へ送信する。情報管理装置６は受信したデータを現行のデータ形式に変換し、それを玉貸機１へ送信する。玉貸機１は旧カードに記憶されている従前のデータ形式のデータを、情報管理装置６より送られてきた現行のデータ形式のデータに書き替えた後、そのカードより書き替えられたデータを読み取る。
この実施例では、情報管理装置６にデータ形式を変換するためのプログラムを記憶させ、情報管理装置６においてデータ形式の変換を行うようにしているが、全ての玉貸機１にデータ形式の変換プログラムを記憶させ、各玉貸機１においてデータ形式の変換を行うような実施態様を採用することもできる。
【００３８】
そのような実施態様では、玉貸機１がカードを受け付けると、玉貸機１において、そのカードのデータのデータ形式が現行のものであるかどうかを判断し、もし、現行のデータ形式であれば当該データを読み取り、もし、現行のデータ形式でなければ当該データを現行のデータ形式に変換した後、カードに記憶されている従前のデータ形式のデータを、変換した現行のデータ形式のデータに書き替える。その後、カードより現行のデータ形式のデータを読み取る。
【００３９】
図２は、隣接する玉貸機１とパチンコ機２とを示している。
同図中、２１はパチンコ機２の遊技盤、２２はパチンコ球発射用の操作ハンドル、２３，２４は貸出用および入賞用の各パチンコ球の払出口、２５，２６は各払出口２３，２４から放出されたパチンコ球の受け皿である。
前記パチンコ球の受け皿２５の前面には、残度数表示器３１、貸出可表示ランプ３２、貸出スイッチ３３、返却スイッチ３４が配備されている。
【００４０】
前記玉貸機１の前面には、貨幣受付口１１、機械状態を知らせる表示ランプ１２、リモコン受光部１３、テンキー１４、２個のカード受付口１５，１６、カード受付状態を知らせる表示ランプ１７などが設けられている。
この実施例では、貨幣は貨幣受付口１１において千円札、五千円札、および一万円札が受け付けられる。貨幣受付口１１の内側には、図３に示すように、受け付けられた紙幣を識別して機械背後の紙幣回収路に導くための紙幣処理機５０が組み込まれている。なお、紙幣回収路は島８に沿って延び、島８内の各玉貸機１で受け付けられた紙幣を島端の金庫まで搬送する。
【００４１】
２個のカード受付口１５，１６は、一般カードと会員カードとのいずれもをそれぞれ１枚だけ受け付けることが可能である。各カード受付口１５，１６の内側には、ＩＣカード対応のカード処理機４０がそれぞれ組み込まれている。各カード処理機４０は、図４に示すように、カードを取り込んで保持するためのカード保持空間４１を有している。カード受付口１５，１６からカード保持空間４１への入口には一対のソレノイド４２ａ，４２ｂより成るロック機構４３が設けられている。このロック機構４３は、カード保持空間４１に導入されたカードをロック保持する。カード保持空間４１のカード通過路沿いには、受け付けたカードを検出する複数個の光センサ４４ａ〜４４ｄより成るカード検出器４５と、非接触通信によってカードに対する情報の読み書きを行うためのアンテナコイルより成るカード読取器４６とが配置されている。また、カード保持空間４１の奥の位置には、カードをカード受付口１５，１６へ押し出すためのばね４７が設けられている。
【００４２】
第１のカード受付口１５のカード保持空間４１内には、一般カードの発券に備えて、金額価値がゼロの一般カードをロック保持させている。従って、カード受付口１５よりカードが抜き取られた場合には、係員は金額価値がゼロの一般カードを１枚補充する。
第１、第２の各カード受付口１５，１６に一般カードや会員カードが受け付けられた状態のとき、入金処理が実行可能な状態にある。そのカードの金額価値がゼロでない場合、または入金があった場合はさらに貸出処理が実行可能な状態となる。
【００４３】
この実施例では、カード受付口１５，１６の一方に一般カードが、他方に会員カードが、それぞれ受け付けられているとき、会員カードについての処理が優先される。また、各カード受付口１５，１６に同じ金額価値の一般カードがそれぞれ受け付けられているとき、第１のカード受付口１５で受け付けられている一般カードについての処理が優先される。さらに、カード受付口１５，１６の一方に金額価値がゼロの一般カードが、他方に金額価値がゼロでない一般カードが、それぞれ受け付けられているとき、金額価値がゼロでない一般カードについての処理が優先される。
【００４４】
なお、図２，３において、リモコン受光部１３は係員がリモコン操作する携帯送受信機からの光信号を受光する部分である。この送受信機のリモコン操作は、例えば、不要な一般カードを排出させるときに実行される。テンキー１４は会員が会員カードを使用する際に本人認証のためにＩＤ番号を入力するのに用いられる。カード受付状態の表示ランプ１７は２個のカード受付口１５，１６の中間位置にあり、各カード受付口１５，１６にカードが受け付けられているかどうかを点灯表示する。
【００４５】
また、パチンコ機２の側に設けられている残度数表示器３１、貸出可表示ランプ３２、貸出スイッチ３３、および返却スイッチ３４は、電気的には玉貸機１の側の制御装置９（図５に示す。）に接続されている。
残度数表示器３１はカードが現在保有する金額価値を度数で表示するためのものである。貸出スイッチ３３は遊技者がパチンコ玉の貸出を要求するのに操作される。返却スイッチ３４は遊技者がカードの返却を要求するのに操作される。貸出可表示ランプ３２はカード受付後に貸出処理が可能な状態になったときに点灯する。前記貸出スイッチ３３の操作は貸出可表示ランプ３２が点灯しているときのみ有効化される。
【００４６】
図５は、玉貸機１の電気的な構成例を示している。図中、９はマイクロコンピュータより成る制御装置であって、制御主体であるＣＰＵ９０にＲＯＭ９１とＲＡＭ９２とを含むメモリが接続されている。ＣＰＵ９０にはバス９３を介して機械状態の表示ランプ１２、カード受付状態の表示ランプ１７、残度数表示器３１、貸出可表示ランプ３２、貸出スイッチ３３、返却スイッチ３４、テンキー１４、紙幣処理機５０、２個のカード処理機４０などが接続されている。
【００４７】
前記紙幣処理機５０には、図示しないが、紙幣識別器や紙幣搬送機構などが含まれている。各カード処理機４０は各カード受付口１５，１６に対応して設けられるもので、ロック機構４３、カード検出器４５、およびカード読取器４６を含んでいる。
ＣＰＵ９０にはさらに、情報管理装置６と通信を行うための通信インターフェース回路９４やパチンコ機２との間の各種制御信号を中継するためのインターフェース回路９５が接続されている。
【００４８】
制御装置９は、各カード処理機４０のカード検出器４５からの検出信号とカード読取器４６からの読取信号とから各カード受付口１５，１６におけるカードの有無、カードの種別、およびカードの金額価値を判別し、その判別結果に基づいて、カード受付口１５，１６のいずれかで受け付けられているカードについて入金処理と貸出処理との少なくとも一方が実行可能な状態に設定する。
【００４９】
図６〜図８は、玉貸機１のカード受付口１５，１６のいずれかに新旧いずれかの一般カードまたは会員カードが外部より挿入された場合についての玉貸システムの動作を示しており、図６には玉貸機１の制御装置９による制御の流れが、図７には情報管理装置６の制御装置による制御の流れが、図８にはカード発行元の装置の制御装置による制御の流れが、それぞれ示されている。
なお、図中、「ＳＴ」は「ＳＴＥＰ」の略であり、一連の制御の流れにおける各手順を示している。玉貸機１の制御装置９において、ＣＰＵ９０はＲＯＭ９１に記憶されたプログラムに従ってＲＡＭ９２に対するデータの読み書きを実行しつつ入出力各部の動作を一連に制御する。なお、他の装置の制御装置においても、同様のＣＰＵ、ＲＯＭ、およびＲＡＭが備えられている。
【００５０】
いま、カード受付口１５，１６のいずれかにカードが挿入されると、図６のＳＴ１の判定が「ＹＥＳ」となってＳＴ２へ進み、ＣＰＵ９０はロック機構４３を駆動させてカードをロック保持し、カード読取器４６にカード情報を取り込ませる。つぎのＳＴ３では、挿入されたカードが現行のカード（新カード）であるかどうか、すなわち、取り込まれたデータが現在のデータ形式のデータであるかどうかがＣＰＵ９０によって判断される。もし、現行のデータ形式でデータが読み取り可能であれば、ＳＴ３の判定が「ＹＥＳ」となってＳＴ９へ移行する。
もし、現行のデータ形式でデータが読み取り可能でなければ、ＳＴ３の判定は「ＮＯ」であり、ＣＰＵ９０はデータを情報管理装置６へ送信し（ＳＴ４）、情報管理装置６からの応答に待機する（ＳＴ５）。
【００５１】
情報管理装置６が玉貸機１よりデータ送信を受けると、図７のＳＴ１の判定が「ＹＥＳ」となり、受信したデータが取り込まれ、従前のデータ形式でデータの読取りが行われる（ＳＴ２）。もし、従前のデータ形式でデータが読取り可能であれば、ＳＴ３の判定は「ＹＥＳ」であり、従前のデータ形式のデータが現行のデータ形式のデータに変換される（ＳＴ４）。変換後のデータは玉貸機１へ送信される（ＳＴ５）。もし、従前のデータ形式でデータの読取りが可能でなければ、ＳＴ３の判定は「ＮＯ」であり、データの読取りが可能でないことが玉貸機１へ知らされる（ＳＴ６）。
【００５２】
玉貸機１において、情報管理装置６よりデータ送信があると、図６のＳＴ５の判定が「ＹＥＳ」であり、受信した内容が変換後のデータであれば、つぎのＳＴ６の判定も「ＹＥＳ」となり、ＣＰＵ９０はカード読取器４６に対してカードに記憶されている従前のデータ形式のデータを変換後の現行のデータ形式のデータに書き替えさせた後、カードよりデータを再度取り込ませてデータの読取りを行う（ＳＴ７，８）。もし、受信した内容がデータの読取りが可能でないことを知らせるものであれば、ＳＴ６の判定は「ＮＯ」であり、エラー処理が行われる。
【００５３】
つぎのＳＴ９では、受け付けたカードが自装置で発行したものかどうかを判定しており、その判定が「ＹＥＳ」であれば、ＣＰＵ９０は登録データとの照合を行う（ＳＴ１０）。もし照合結果がＯＫであれば、ＳＴ１３の判定が「ＹＥＳ」であり、ＣＰＵ９０は残度数表示器３１に残度数を表示させた後（ＳＴ１４）、遊技者による操作に待機する（ＳＴ１５）。
【００５４】
受け付けたカードが自装置で発行したものでなければ、ＳＴ９の判定が「ＮＯ」であり、ＣＰＵ９０はカード情報をカード発行元の装置へ送信し、その装置からの応答に待機する（ＳＴ１２）。
【００５５】
カード発行元の装置が玉貸機１よりカード情報を受信すると、図８のＳＴ１の判定が「ＹＥＳ」となり、登録データとの照合が行われる（ＳＴ２）。照合結果がＯＫであれば、ＳＴ３の判定が「ＹＥＳ」であり、照合結果がＯＫである旨が玉貸機１へ知らされる（ＳＴ４）。もし、照合結果がＯＫでなければ、ＳＴ３の判定が「ＮＯ」であり、照合結果がＯＫでない旨が玉貸機１へ知らされる（ＳＴ５）。
【００５６】
玉貸機１において、カード発行元の装置より応答があると、図６のＳＴ１２の判定が「ＹＥＳ」であり、応答内容が照合結果がＯＫである旨の応答であれば、ＳＴ１３の判定が「ＹＥＳ」となってＳＴ１４へ進むが、応答内容が照合結果がＯＫでない旨の応答であれば、ＳＴ１３の判定が「ＮＯ」であり、エラー処理が行われる。
【００５７】
なお、この実施例では、玉貸機１で取り込まれたデータが現行のデータ形式のデータに変換されたとき、カードに記憶されているデータを現行のデータ形式のデータに書き替えた後、カードよりデータの読み取りを行っているが、カードのデータ書き替えを変換時には行わずカードを返却するときやカードの金額価値がゼロになったときに行うようにしてもよい。
【図面の簡単な説明】
【００５８】
【図１】この発明が適用された玉貸システムの構成を示すブロック図である。
【図２】隣接する玉貸機とパチンコ機との外観を示す正面図である。
【図３】玉貸機の外観を示す斜視図である。
【図４】カード処理機の内部構成を示す側面図である。
【図５】玉貸機の電気的な構成を示すブロック図である。
【図６】玉貸機の制御装置による制御の流れを示すフローチャートである。
【図７】情報管理装置における制御の流れを示すフローチャートである。
【図８】カード発行元の装置における制御の流れを示すフローチャートである。
【符号の説明】
【００５９】
１    玉貸機
２    パチンコ機
６    情報管理装置
９    制御装置
１５，１６  カード受付口
４６  カード読取器
９０  ＣＰＵ
９１  ＲＯＭ
９２  ＲＡＭ
【図１】
2005215852.tif 000003
【図２】
2005215852.tif 000004
【図３】
2005215852.tif 000005
【図４】
2005215852.tif 000006
【図５】
2005215852.tif 000007
【図６】
2005215852.tif 000008
【図７】
2005215852.tif 000009
【図８】
2005215852.tif 000010